(57)【要約】【課題】従来のストレージシステムにおいては、ストレージに関する情報をネットワークに接続されている場合にストレージにアクセスし情報を取得し端末やサーバーに表示しているが、ネットワークが接続されていることが前提条件としてあり、ネットワークが接続されていない場合に端末やサーバーにストレージの情報を表示する方法については決められておらず、ネットワークが接続されていない場合にもストレージの情報を表示するシステムを提供する。【解決手段】ネットワークが接続されているか検出し、ネットワークが接続されている場合には、ストレージにアクセスしストレージに関する情報データを端末で受信し表示する。ネットワークが接続されていない場合には、ネットワークが接続されているときに情報データを端末に格納し、ネットワークが未接続状態になったときに端末に格納されている情報データを表示する。【選択図】図１
2009098994.tif 000002
【特許請求の範囲】
【請求項１】
ユーザがユーザ毎に割り当てたストレージスペースにデータを格納するオンラインストレージと、前記ユーザが前記ストレージスペースにアクセスしデータを送受信する端末と、それらを接続するネットワークとが設けられたデータ伝送システムで、
前記オンラインストレージは第１の情報を格納し、前記端末は第２の情報を格納すると共に前記ネットワークが接続されているかどうかを検出する手段とを備え、前記端末は前記ネットワークが接続されていると検出した場合は、第１の情報を前記ストレージからダウンロードして前記端末に表示し、前記ネットワークに接続していない場合は、第２の情報を表示するよう制御する手段を備えたデータ伝送システム。
【請求項２】
前記第１の情報は、前記ストレージスペースに格納されていてダウンロードされた前記データに関するファイル名や更新日付、種類、データ容量などを含むデータ情報の少なくとも一つのデータ情報であり、前記第２の情報は前記端末に格納されているデータ情報を表示するよう制御する手段を備えたデータ伝送システム。
【請求項３】
請求項１に従属し、前記端末が前記ネットワークに接続されていないと検出した場合は、前記第２の情報を前記端末に表示色を変更し表示する手段を備えたデータ伝送システム。
【請求項４】
請求項１に従属し、前記ストレージスペースの総容量および使用容量を検出する手段と、前記総容量および前記使用容量から使用率を計算する手段と、前記総容量、前記使用容量および前記使用率を端末に表示する手段とを備えたデータ伝送システム。
【請求項５】
請求項１に従属し、前記端末が、前記ネットワークが接続されているかどうかを検出する手段と、前記ネットワークの接続が確認できなかった未接続時点情報を前記端末に格納する手段と、前記ネットワークの接続が検出された時点で前記端末に格納されている前記未接続時点情報を削除する手段と、前記未接続時点情報の格納期間を計測する手段と、前記格納期間を表示する手段と、を備えたデータ伝送システム。
【請求項６】
請求項１に従属し、前記端末が前記ネットワークに接続されていないと検出した場合は、前記端末に格納されている前記データ情報から文字列を抽出する抽出手段と、前記抽出手段により抽出された前記文字列を透けて見えるように表示するか、または、前記文字列の表示色を変更し表示する手段と、を備えたデータ伝送システム。
【発明の詳細な説明】
【技術分野】
【０００１】
本発明は、インターネットを介してユーザ端末に情報を表示するデータ伝送システムに関し、特にオンラインでデータをストレージにアップロードおよびストレージからダウンロードするサービスであるオンラインストレージサービスのストレージに格納する情報データのデータ伝送システムに関する。
【背景技術】
【０００２】
従来、ストレージシステムにおいて端末やサーバーがストレージに関する情報を取得し表示装置に表示する方法は知られている。ストレージにおける情報表示方法について特許文献１が挙げられる。
【０００３】
【特許文献１】特開２００４−１３９４９４号公報
【発明の開示】
【発明が解決しようとする課題】
【０００４】
以上に述べた例では、ネットワークが接続されたシステムにおいて、必要な情報を収集し、収集した情報を表示する方法をとっているが、ネットワークが接続されていることが前提条件としてあり、ネットワークが未接続の状態のときの仕様が記されていない。そのため、ネットワークが未接続のときには情報をどのように取得し表示するか問題である。
【０００５】
本発明はこのような従来の構成ではが有していた問題を解決しようとするものであり、オンラインストレージサービスにおいてネットワークが未接続のときにもストレージスペースに関する各種情報を表示し状態を把握できるようにすることを目的とする。
【課題を解決するための手段】
【０００６】
本発明の請求項１は、ユーザがユーザ毎に割り当てたストレージスペースにデータを格納するオンラインストレージと、前記ユーザが前記ストレージスペースにアクセスしデータを送受信する端末と、それらを接続するネットワークとが設けられたデータ伝送システムで、
前記オンラインストレージは第１の情報を格納し、前記端末は第２の情報を格納すると共に前記ネットワークが接続されているかどうかを検出する手段とを備え、前記端末は前記ネットワークが接続されていると検出した場合は、第１の情報を前記ストレージからダウンロードして前記端末に表示し、前記ネットワークに接続していない場合は、第２の情報を表示するよう制御する手段を備えたデータ伝送システムを提供することにある。
【０００７】
本発明の請求項２は、前記第１の情報は、前記ストレージスペースに格納されていてダウンロードされた前記データに関するファイル名や更新日付、種類、データ容量などを含むデータ情報の少なくとも一つのデータ情報であり、前記第２の情報は前記端末に格納されているデータ情報を表示するよう制御する手段を備えたデータ伝送システムを提供することにある。
【０００８】
本発明の請求項３は、請求項１に従属し、前記端末が前記ネットワークに接続されていないと検出した場合は、前記第２の情報を前記端末に表示色を変更し表示する手段を備えたデータ伝送システムを提供することにある。
【０００９】
本発明の請求項４は、請求項１に従属し、前記ストレージスペースの総容量および使用容量を検出する手段と、前記総容量および前記使用容量から使用率を計算する手段と、前記総容量、前記使用容量および前記使用率を端末に表示する手段とを備えたデータ伝送システムを提供することにある。
【００１０】
本発明の請求項５は、請求項１に従属し、前記端末が、前記ネットワークが接続されているかどうかを検出する手段と、前記ネットワークの接続が確認できなかった未接続時点情報を前記端末に格納する手段と、前記ネットワークの接続が検出された時点で前記端末に格納されている前記未接続時点情報を削除する手段と、前記未接続時点情報の格納期間を計測する手段と、前記格納期間を表示する手段と、を備えたデータ伝送システムを提供することにある。
【００１１】
本発明の請求項６は、請求項１に従属し、前記端末が前記ネットワークに接続されていないと検出した場合は、前記端末に格納されている前記データ情報から文字列を抽出する抽出手段と、前記抽出手段により抽出された前記文字列を透けて見えるように表示するか、または、前記文字列の表示色を変更し表示する手段と、を備えたデータ伝送システムを提供することにある。
【発明の効果】
【００１２】
上述したように、本発明のデータ伝送システムは、ネットワークが接続されているとき、
ストレージスペースに格納されているデータに関する情報を端末に格納し、ネットワークが未接続になったときに、前記格納されているデータに関する情報を端末に表示することで、ネットワークが未接続の場合でもストレージスペースに格納されているデータに関する情報を表示することができる。また、ネットワークが未接続の場合に表示する情報の表示方法をネットワークが接続されている場合とは変更することでネットワークが未接続であり、最新の情報ではないことがわかる。
【発明を実施するための最良の形態】
【００１３】
以下、本発明の実施の形態を図１〜図３に基づいて説明する。
【００１４】
図１は本発明の第１の実施形態のブロック図を示す。１はオンラインストレージで端末ごとにそれぞれオンラインストレージの中にストレージスペースを持つ。２は端末、３はネットワーク、４はオンラインストレージ１の端末２に割り当てられているストレージスペース、５はオンラインストレージ１に格納されているデータに関する第１の情報、６はネットワークが接続されているかどうか検出するネットワーク検出部、７は端末２のデータを格納するデータ記憶部、８は端末２のデータ記憶部に格納されている第２の情報、９は第１の情報５または第２の情報を表示するデータ出力部を示す。
【００１５】
図２は端末２に表示する第１の情報５ないしは第２の情報７の表示例を示し、データに関するファイル名、種類、更新日時、タグ、サイズ、作成者を情報の例として挙げているが、これらに限るものではない。
【００１６】
図３は本発明の第１の実施形態を示すフローチャートを示す。まず、Ｓ１で端末２はネットワーク検出部６でネットワークが接続されているか検出し、ネットワークが接続されている場合は、Ｓ２で端末２はオンラインストレージ１の端末２に割り当てられているストレージスペース４にアクセスし、Ｓ３でストレージスペース４に格納されている第１の情報５をダウンロードする。そして、Ｓ４でダウンロードした第１の情報５をデータ記憶部６に格納し、Ｓ５で第１の情報５をデータ出力部９で図２のように表示する。ネットワークが接続されていない場合は、Ｓ６で示すようにデータ記憶部７に格納されている第２の情報８をデータ出力部９で図２のように表示する。また、ネットワークが接続されていない場合には、第２の情報８をデータ出力部９で表示するときに、第２の情報８の表示色を変更し表示する。
【００１７】
図４は本発明の第２の実施形態のブロック図を示す。図１に比して、端末２に計算部１０を付け加え、未接続時点情報に基づき格納期間を計算する。
【００１８】
図５は本発明の第２の実施形態を示すフローチャートを示す。まず、Ｓ１で端末２はネットワーク検出部６でネットワークが接続されているか検出し、ネットワークが接続されていない場合は、Ｓ２で未接続時点情報をデータ記憶部７に格納する。そして、Ｓ３で未接続時点情報がデータ記憶部７に格納されている格納期間を計算部１０で計算し、Ｓ４で示すように計算した格納期間をデータ出力部９で表示する。次にネットワークが接続された場合には、Ｓ５で示すようにネットワークが接続された時点でデータ記憶部７に格納されている未接続時点情報を削除し、データ出力部９で表示されていた格納期間は計算部１０での計算が中断されるため表示されなくなる。
【００１９】
本発明の実施例では、ネットワークが接続されている場合は、第１の情報５をデータ出力部９で表示しているが、第２の情報７をデータ出力部９で表示する場合もある。
【００２０】
また、本発明の実施例では、第１の情報５をデータ記憶部７に格納し記憶するが、一時的なキャッシュとしてデータ記憶部７に格納し、所定の期間のみ記憶し所定の期間を超えるとデータ記憶部７に格納されている第１の情報５を削除する場合もある。
【００２１】
本発明は、ネットワークが接続されているときに、ストレージスペースに関する情報を端末に格納しておくことで、ネットワークが未接続のときにも予め端末に格納しているネットワークが未接続になる直前までの情報を自動的に表示しストレージスペースの状況を
把握することができる。
【図面の簡単な説明】
【００２２】
【図１】本発明の第１の実施形態を示すブロック図
【図２】本発明の表示例
【図３】本発明の第１の実施形態を示すフローチャート
【図４】本発明の第２の実施形態を示すブロック図
【図５】本発明の第２の実施形態を示すフローチャート
【符号の説明】
【００２３】
１    オンラインストレージ
２    端末
３    ネットワーク
４    ストレージスペース
５    第１の情報
６    ネットワーク検出部
７    データ記憶部
８    第２の情報
９    データ出力部
１０  計算部
【図１】
2009098994.tif 000003
【図２】
2009098994.tif 000004
【図３】
2009098994.tif 000005
【図４】
2009098994.tif 000006
【図５】
2009098994.tif 000007